(57)【特許請求の範囲】
【請求項１】
多角形の開口部が形成されたフランジ部と、
前記フランジ部の開口部の各辺に対応する複数の面板を有し、前記フランジ部の開口部に差し込まれた筒状の保持器本体と、
前記フランジ部の外周の一部と、少なくとも１つの面板の下方部分とを接続する接続部とを具えた紙製フィルター保持器であって、
前記接続部に接続していない前記面板の下方部分が前記フランジ部の開口部から下方に突出していることを特徴とする紙製フィルター保持器。
【請求項２】
相互に隣接する２つの前記面板を跨ぐように形成された切欠き部を具え、この切欠き部には、フランジ部の内側縁部が係止することを特徴とする請求項１に記載の紙製フィルター保持器。
【請求項３】
紙製フィルター保持器が１枚の紙から成り、前記フランジ部の開口部が六角形であり、前記保持器本体は、６枚の前記面板を逆切頭六角錐形状の筒状に接合するためのフラップ部をさらに有することを特徴とする請求項１または請求項２に記載の紙製フィルター保持器。
【請求項４】
上部が開口可能な袋状の濾紙が前記保持器本体内の上部に装着されていることを特徴とする請求項１乃至３のいずれか１項に記載の紙製フィルター保持器を用いたコーヒーメーカー。
【請求項５】
前記袋状の濾紙内にコーヒー粉末がパックされ、前記袋状の濾紙の口部がシールされて閉じられており、
前記紙製フィルター保持器はコーヒー粉末がパックされた状態で偏平に折り畳まれることが可能であることを特徴とする請求項４に記載のコーヒーメーカー。
【発明の詳細な説明】
【０００１】
【発明の属する技術分野】
本発明は、折り畳んだ状態から組立ててカップの上に載せて使用するコーヒー抽出用のフィルターとコーヒー粉末を保持するための紙製フィルター保持器及びコーヒーメーカーに関するものである。
【０００２】
【従来の技術】
近年、個々にコーヒーを入れて飲用する簡易形のドリップ式のコーヒーメーカーやコーヒーパックが種々用いられている。その一例として、例えば、プラスチックのような合成樹脂材料で作られた皿状の平板の中央に上方に朝顔形に開いた逆円錐形の漏斗部材内に同様な逆円錐形の濾紙（フィルター）を装着してコーヒーの粉を入れ、湯を注いでコーヒーを抽出する方式のものや、特開平１０−１２７４９６号公報記載の如く、紙製容器の底面に濾紙を介してコーヒー粉末収納部材を設けて成るコーヒーメーカーをカップの上に載せて湯を注ぐもの等、多くのものが知られている。
【０００３】
【発明が解決しようとする課題】
しかしながら、従来のこのようなコーヒーメーカーは、前者のものは使用後に水やお湯で洗浄して乾燥しなければならず、このような水洗いや乾燥等の後始末が厄介である。また、後者の公開公報記載の紙製容器を用いるコーヒーメーカーは、構造が複雑で組立てが容易でなく、嵩張る等の問題を有している。また、このようなコーヒーメーカーはカップの上に載せた時に、安定性が充分でなく、さらに、コーヒー粉末収納部材が下部に設けられており、この収納部材内にコーヒー粉末やコーヒー粉末のパックが入れられねばならず、使い難い等の不具合が見られる。
【０００４】
従って、このような従来における問題を解決するために、本発明の目的は、偏平に折り畳み自在で、使用が簡単であり、かつ安定性が良く、使い捨てできる安価なドリップコーヒー用の紙製フィルター保持器を提供することにある。
【０００５】
【課題を解決するための手段】
上記の目的を達成するために、本発明によれば、紙製フィルター保持器は、多角形の開口部が形成されたフランジ部と、前記フランジ部の開口部の各辺に対応する複数の面板を有し、前記フランジ部の開口部に差し込まれた筒状の保持器本体と、前記フランジ部の外周の一部と、少なくとも１つの面板の下方部分とを接続する接続部とを具えた紙製フィルター保持器であって、前記接続部に接続していない前記面板の下方部分が前記フランジ部の開口部から下方に突出していることを特徴とする。
【０００６】
尚、保持器本体の断面形状は、安定性の面から正多角形であることが好ましい。
【０００７】
また、本発明の紙製フィルター保持器は、相互に隣接する２つの前記面板を跨ぐように形成された切欠き部を具え、この切欠き部には、フランジ部の、前記切欠き部の形成された面板に対応する２辺の境界部分が係止することを特徴とする。
【０００８】
さらに、本発明の紙製フィルター保持器は、前記保持器本体が、紙製フィルター保持器が１枚の紙から形成され、前記フランジ部の開口部が六角形であり、前記保持器本体は、６枚の前記面板を逆切頭六角錐形状の筒状に接合するためのフラップ部をさらに有することを特徴とする。
【０００９】
さらにまた、本発明のコーヒーメーカーは、上部が開口可能な袋状の濾紙（フィルター）が前記保持器本体内の上部に装着されていることを特徴とする上記の紙製フィルター保持器を用いている。
【００１０】
本発明のコーヒーメーカーは、前記袋状の濾紙内にコーヒー粉末がパックされ、前記袋状の濾紙（フィルター）の口部がシールされて閉じられており、前記紙製フィルター保持器はコーヒー粉末がパックされた状態で偏平に折り畳まれることが可能であることを特徴とする。
【００１１】
【発明の実施の形態】
このように構成された本発明の紙製フィルター保持器によれば、組立時に、断面が多角形の筒状、または上方に開いた形状を成した保持器本体と、この保持器本体の下部周辺に形成されたフランジ部とから成り、展開時に前記保持器本体の一辺に前記フランジ部が連続するように一枚の厚紙から切出して作ることができて、袋状の濾紙を前記保持器本体内に装着可能で、かつ偏平に折り畳み自在であり、使用が簡単で、安定性が良く、しかも使い捨てできる安価なドリップコーヒー用の紙製フィルター保持器を提供することができる。
【００１２】
本発明におけるその他の目的や特徴および利点は、以下の添付図面による本発明の詳細な説明から明らかにする。
【００１３】
図１は、本発明の紙製フィルター保持器の一実施例における全体を示す概略斜視図で、図２は図１に示される本発明の紙製フィルター保持器の展開図、図３乃至図６は図１の本発明の紙製フィルター保持器の組立て手順を示す説明図で、図７および図８は本発明の紙製フィルター保持器の別の実施例を示す斜視図および展開図、図９および図１０は本発明の紙製フィルター保持器のさらに他の実施例を示す斜視図および展開図である。また、図１１および図１２は本発明の紙製フィルター保持器にコーヒー粉末をパックした濾紙（フィルター）を装着した実施例を示す斜視図および正面図である。
（実施例１）
先ず、図１および図２に示されるように、本発明の紙製フィルター保持器１は適宜な厚紙、好適には内面が非通水性の厚紙、から切出して作ることができる。使用する厚紙は通常のもので良く、コート紙、アート紙、クラフト紙等様々な種類の紙が使用可能であり、紙の秤量として、形状の安定の点から１５０ｇ／ｍ2以上であることが好ましいが、特にこれに限定されるものではない。また、厚紙は一方の面に非通水性処理を施したり、ポリエチレンまたはポリプロピレンなどのフィルムを設けたものでも良い。このような本発明の紙製フィルター保持器１は、通常はほぼ２つ折りにして偏平な状態に折り畳んで、ポリエチレンやポリプロピレンなどの包装材料の包装袋に入れられて包装されており、使用時には包装袋を破いて２つ折りの偏平な紙製フィルター保持器１を中から取出して組立てゝ使用するものである。
【００１４】
このような本発明の紙製フィルター保持器１は、例えば、本例においては、多角形状で、かつ上方に末広に開いた形状（図示実施例では正六角形状の逆切頭角錐状）を成した筒状の保持器本体２と、この筒状の保持器本体２の下部周辺に形成されたフランジ部３とから構成されている。また、本発明の紙製フィルター保持器１は、展開した状態で、厚紙から切出して作られるものである。
【００１５】
従って、このような本発明の紙製フィルター保持器１は、展開時には、筒状の保持器本体２の一辺にフランジ部３が連続するよう厚紙から切出して作られており、左右対称形をなし、組立てられたときに椀形または袋状の濾紙が筒状の保持器本体２内に装着されるように成っていて、偏平に折り畳み自在で、使用が簡単であり、かつ安定性が良く、しかも使い捨てできる安価なドリップコーヒー用の紙製フィルター保持器１を構成することができるものである。なお、筒状の保持器本体２は概略的に断面が多角形の筒状を成しているものであり、上方に末広または同一断面の筒状である。
【００１６】
図２に示されるように、本発明の紙製フィルター保持器１は、展開した状態で一枚の平らな厚紙から切り出される。このような本発明の紙製フィルター保持器において、筒状の保持器本体２は組立てた状態で逆切頭六角錐形状をなすものであり、図示で上方に五面分の面板４−１、４−２、４−３、４−４、４−５が横方向に連続して形成されており、中央の三番目の面板４−３の下に接続部５を介してフランジ部３が接続されており、面板４−３と対向した位置においてフランジ部３に接続部６を介して残りの六番目の面板４−６が接続して設けられている。勿論、このような面板４−１、４−２、４−３、４−４、４−５、４−６の接続状態や配置等は図示のものに限られることなく任意にできるものである。
【００１７】
また、左右両端の面板４−１、４−５の縁辺に沿ってフラップが設けられ、接着部７、８とされており、組立時に、これら接着部７、８に適宜な接着剤を塗布して接着剤層７’、８’を設けて接合する構造とされている。勿論、接着剤を塗布する代りに両面接着テープ等を用いることもできる。
【００１８】
さらに、これら面板４−１、４−２、４−３、４−４、４−５相互の間と、面板４−１と接着部７の間と、面板４−５と接着部８の間に、折れ線１１、１２、１３、１４、１５、１６が設けられ、面板４−３と接続部５とフランジ部３の間と、面板４−６と接続部６とフランジ部３の間に折れ線１７、１８、１９、２０が設けられている。
【００１９】
フランジ部３は外周が円形を成し、中央に六角形状の開口部２２が設けられており、さらに、直径方向に対向して図示で横方向に突出する突出部２３、２４が形成されると共に、これら突出部２３、２４の中央を通って折れ線２５、２６が設けられている。従って、これら折れ線２５、２６に沿って突出部２３、２４が折り曲げられるときに、フランジ部３は上側の半部３ａと下側の半部３ｂとに折り曲げられて分けられるようになる。
【００２０】
また、面板４−１、４−２の間の折れ線１２の上と、面板４−４、４−５の間の折れ線１５の上に半円形状や三角形の切欠き部３１、３２が設けられている。
【００２１】
さらに、折れ線１１、１３、１４、１６の下端の処には切込み２７、２８、２９、３０がそれぞれ設けられている。また、面板４−３、４−６の上縁の端寄りにタグ３３、３４が設けられており、本発明の紙製フィルター保持器１の組立時に、これらタグ３３、３４を持って開き易くしており、濾紙やコーヒーパックが装着されてヒートシールされている場合に、タグ３３、３４を持って簡単に開くことができるようになっている。
【００２２】
このように構成された本発明の紙製フィルター保持器１においては、図２に示される展開した状態で厚紙から切出され、図３乃至図６に示されるように順に折り曲げて、接着して組立てられる。
【００２３】
先ず、本発明の紙製フィルター保持器１は、図２に示される展開した状態に、適宜な厚紙から切り出される。いま、このような展開した状態において、紙製フィルター保持器１の内面側が図示の見える方の面であるものとする。このような図２の状態から、フランジ部３の横中央の折れ線２５、２６に沿って手前側のフランジ部３の下半部３ｂと面板４−６とを上方に折り曲げる。この状態が図３に示される状態で、面板４−３の上に面板４−６が重なり、接続部５の上に接続部６が重なり、フランジ部３の半部３ａの上に半部３ｂが重なるように折り曲げられている。
【００２４】
次に、接着部（フラップ部）７、８に糊またはボンドのような適宜な接着剤を塗布して接着剤層７’、８’を設けて、面板４−１、４−２の間の折れ線１２に沿って面板４−１を内方に折り曲げて接着部７を面板４−６の外面に貼り付けて接着する。同様に、面板４−４、４−５の間の折れ線１５に沿って面板４−５を内方に折り曲げて接着部８を面板４−６の外面に貼り付けて接着する。この状態が図４および図５の状態であり、図５は図４を横方向から見た端面図である。
【００２５】
この図４および図５の状態から接続部５、６を外側から上方に向かって折れ線１７、１９を内側にして図５に矢印で示されるように折り曲げて面板４−３、４−６の上に重なるように折り曲げる。このように折り曲げられた状態の紙製フィルター保持器１が図６に示されている。従って、本発明の紙製フィルター保持器１は、図６の状態に折り曲げられた状態で、ポリエチレンやポリプロピレンなどの適宜な包装材料で作られた包装袋に入れられて包装されており、使用時にはこの包装袋を破いて折り畳んだ偏平な状態の紙製フィルター保持器１を包装袋の中から取出して組立てゝ使用することができるものである。
【００２６】
従って、このように構成された本発明の紙製フィルター保持器１を使用する場合には、紙製フィルター保持器１が入れられている包装袋を破いて、包装袋の中から折り畳まれている本発明の紙製フィルター保持器１を取出して、先ず、図６の状態から図４および図５の状態に、接続部５、６を折れ線１７、１９の周りに外下方に向かって図５の矢印と反対方向に回動して表側に来るように開くと同時に、折れ線１２、１５の上方部分の付近にて面板４−１、４−２と、面板４−４、４−５の部分に、図６にて矢印Ａ方向に両方向から内側に向かって押すように力を加えれば、面板４−１、４−２、４−３、４−４、４−５、４−６は上方に末広に六角形状に開くので、同時に面板４−１、４−２、４−３、４−４、４−５、４−６の下方部分をフランジ部３の開口部２２内に差し込めば、開口部２２の縁部が切欠き部３１、３２に嵌まり込み、切込み２７、２８、２９、３０がフランジ部３にしっかりと係止されるので、紙製フィルター保持器１が図１に示されるように組立てられる。
【００２７】
この場合に、特に、開口部２２が図２に示されるように、切欠き部３１、３２が係合される対角２箇所の部分にＲをとること（円弧状にすること）により、対角線長さＡ、Ｂの関係が、
Ａ＝Ｂ＋２α
但し、αはフランジ部３の切欠き部３１、３２への食い込み量、
となるので、フランジ部３が切欠き部３１、３２と確実に係止されて、フランジ部３がしっかりと固定される。
【００２８】
従って、このように組立てられた本発明の紙製フィルター保持器１は強固でしっかりと構成されているので、カップの上に載せたときに、フランジ部３がカップの縁部の上に安定して載り、フランジ部３より下方に突出した面板４−１〜４−６の下方部分がカップの内側に入るので、より安定してカップの上に載置して良好に使用することができる。また、濾紙（フィルター）１０は上縁辺部分を紙製フィルター保持器１の保持器本体２の内面側に適宜な接着剤やヒートシールによって固着しておいても良いし、使用時に保持器本体２内に装着しても良い。さらに、濾紙（フィルター）１０を紙製フィルター保持器１の内面に固着しておく場合には、濾紙１０の上部口部はシールされていてもいなくても構わない。さらにまた、濾紙１０は上部が開口した先細の円錐状または角錐状を成したもの等、任意の形状のものを使用することができる。
（実施例２）
図７および図８は、本発明の紙製フィルター保持器の第２の実施例を示す斜視図および展開図である。
【００２９】
図７および図８に示されるように、本発明の実施例２における紙製フィルター保持器１ａは正四角柱筒状の保持器本体２ａと、この正四角柱筒状の保持器本体２ａの下部周辺に形成されたフランジ部３ａとから形成されており、保持器本体２ａが正四角柱筒状を成し、かつフランジ部３ａが対応する正方形の開口部２２ａを有していること等が、先の実施例１のものとは異なっている。また、本実施例の紙製フィルター保持器１ａも、展開時には、図８に示されるように正四角柱筒状の保持器本体２ａの一辺にフランジ部３ａが連続するように同様に適宜な厚紙から切出して作られ、組立てられたときに、筒形または袋状の濾紙が正四角柱筒状の保持器本体２ａ内に装着されるように成っていて、偏平に折り畳み自在で、使用が簡単であり、かつ安定性が良く、しかも使い捨てできる安価なドリップコーヒー用の紙製フィルター保持器１ａを構成するものである。
【００３０】
従って、本発明のこの実施例２における紙製フィルター保持器１ａは、図示されるように、展開した状態で一枚の平らな厚紙から切り出され、図示で上方に三面分の面板４−１ａ、４−２ａ、４−３ａが横方向に連続して形成されており、中央の二番目の面板４−２ａの下に接続部５ａを介してフランジ部３ａが接続されており、面板４−２ａと対向した位置においてフランジ部３ａに接続部６ａを介して残りの四番目の面板４−４ａが接続して設けられている。
【００３１】
また、左右両端の面板４−１、４−３の縁辺に沿って接着部７ａ、８ａが設けられており、組立時に、これら接着部７ａ、８ａに適宜な接着剤を塗布して接着剤層７ａ’、８ａ’を設けて接合する構造とされており、接着剤を塗布する代わりに両面接着テープ等を用いることもできる。
【００３２】
さらに、これら面板４−１ａ、４−２ａ、４−３ａ相互の間と、面板４−１ａと接着部７ａの間と、面板４−３ａと接着部８ａの間に、折れ線４１、４２、４３が設けられ、面板４−１ａ４−３ａの中央に夫々折れ線４５、４６が設けられている。
【００３３】
また、面板４−２ａと接続部５ａとフランジ部３ａの間と、面板４−４ａと接続部６ａとフランジ部３ａの間に折れ線４７、４８、４９、５０と切込み５１、５２が設けられており、切込み５１、５２によって突出部５３、５４が形成されている。
【００３４】
フランジ部３ａはほぼ四角形を成し、左右両側縁の外周が緩やかな円弧を成しており、中央に四角形状の開口部２２ａが設けられており、さらに、直径方向に対向して内向きに突出する突出部２３ａ、２４ａが形成されると共に、これら突出部２３ａ、２４ａの中央を通って折れ線２５ａ、２６ａが設けられている。さらに、これら突出部２３ａ、２４ａと直角方向（図示で上下方向）に対向して切欠き５５、５６が設けられている。従って、これら折れ線２５ａ、２６ａに沿って突出部２３ａ、２４ａが折り曲げられるときに、フランジ部３ａは上側と下側の半部に折り曲げられて分けられるようになる。
【００３５】
また、面板４−１ａ、４−３ａの中央の折れ線４５、４６の上には半円形状や三角形の切欠き部３１ａ、３２ａが設けられ、組立時に、突出部２３ａ、２４ａが食い込む構造となっている。
【００３６】
さらに、面板４−２ａ、４−４ａの上縁の端寄りにタグ３３ａ、３４ａが設けられており、本発明の紙製フィルター保持器１ａの組立時に、これらタグ３３ａ、３４ａを持って開き易くしており、濾紙やコーヒーパックが装着されてヒートシールされている場合に、タグ３３ａ、３４ａを持って簡単に開くことができるようになっている。
【００３７】
このように構成された本発明の紙製フィルター保持器１ａにおいては、図８に示される展開した状態で厚紙から切出され、図４に示されるような状態に折り曲げて、接着して組立てられる。
（実施例３）
また、図９および図１０は本発明の紙製フィルター保持器の第３の実施例を示す斜視図および展開図である。図示されるように、本発明の実施例３における紙製フィルター保持器１ｂは六角筒形状の保持器本体２ｂと、この六角筒形状の保持器本体２ｂの下部周辺に形成されたフランジ部３ｂとから形成されており、保持器本体２ｂが六角筒形状を成し、フランジ部３ｂが対応する六角形の開口部２２ｂを有していることが、先の実施例１および実施例２のものとは異なっている。また、本実施例の紙製フィルター保持器１ｂも、同様に適宜な厚板から切出して作られ、組立てられたときに筒形または袋状の濾紙が六角筒形状の保持器本体２ｂ内に装着されるように成っており、偏平に折り畳み自在で、かつ使用が簡単で、安定性も良く、しかも使い捨て可能な安価なドリップコーヒー用の紙製フィルター保持器１ｂを構成するものである。
【００３８】
本発明のこの実施例３における紙製フィルター保持器１ｂは、図９および図１０に示されるように、展開した状態で一枚の平らな厚紙から切り出され、図示で上方に五面分の面板４−１ｂ、４−２ｂ、４−３ｂ、４−４ｂ、４−５ｂが横方向に連続して形成されており、中央の三番目の面板４−３の下に接続部５ｂを介してフランジ部３が接続されており、面板４−３ｂと対向した位置においてフランジ部３ｂに接続部６ｂを介して残りの六番目の面板４−６ｂが接続して設けられている。
【００３９】
また、左右両端の面板４−１ｂ、４−５ｂの縁辺に沿って接着部７ｂ、８ｂが設けられており、組立時に、これら接着部７ｂ、８ｂに適宜な接着剤を塗布して接合する構造とされている。
【００４０】
さらに、これら面板４−１ｂ、４−２ｂ、４−３ｂ、４−４ｂ、４−５ｂ相互の間と、面板４−１ｂと接着部７ｂの間と、面板４−５ｂと接着部８ｂの間に、折れ線１１ｂ、１２ｂ、１３ｂ、１４ｂ、１５ｂ、１６ｂが設けられ、面板４−３ｂと接続部５ｂとフランジ部３ｂの間と、面板４−６ｂと接続部６ｂとフランジ部３ｂの間に折れ線１７ｂ、１８ｂ、１９ｂ、２０ｂと切込み２８ｂ、２９ｂが設けられている。
【００４１】
フランジ部３ｂは外周がほぼ円形を成し、中央に六角形状の開口部２２ｂが設けられており、さらに、直径方向に対向して図示で横方向に突出する突出部２３ｂ、２４ｂが形成され、折れ線２５ｂ、２６ｂが設けられている。従って、これら折れ線２５ｂ、２６ｂに沿って突出部２３ｂ、２４ｂが折り曲げられるときに、フランジ部３ｂは上側と下側の半部とに夫々折り曲げられて分けられるようになる。
【００４２】
また、面板４−１ｂ、４−２ｂの間の折れ線１２ｂの上と、面板４−４ｂ、４−５ｂの間の折れ線１５ｂの上に半円形状の切欠き部３１ｂ、３２ｂが設けられている。尚、本実施例も実施例１と同様に、切欠き部３１ｂ、３２ｂと係合されるフランジ部３の開口部２２ｂの対角２箇所は円弧状に形成されている。
【００４３】
さらに、面板４−３ｂ、４−６ｂの上縁の端寄りにタグ３３ｂ、３４ｂが設けられており、本発明の紙製フィルター保持器１ｂの組立時に、これらタグ３３ｂ、３４ｂを持って開き易くしており、濾紙やコーヒーパックが装着されてヒートシールされている場合に、タグ３３ｂ、３４ｂを持って簡単に開くことができるように、先の実施例と同様に構成されている。
【００４４】
このように構成された本発明の紙製フィルター保持器１ｂにおいては、図１０に示される展開した状態で厚紙から切出され、図９に示されるような状態に折り曲げて、接着して組立てられる。
（実施例４）
前記実施例１は本発明の紙製フィルター保持器自体だけを要旨とするものであるのに対して、本発明の実施例４においては、前述したと同様に構成された紙製フィルター保持器に袋状の濾紙が事前に装着されている。尚、保持器の形状は実施例１に限らず実施例２、３でもよく、いずれも使用可能である。本実施例においては、濾紙は、上縁辺部分が紙製フィルター保持器の保持器本体内面側に適宜に接着したり、あるいはヒートシールにより固着しても良く、さらに、濾紙の上部口部をシールしていても構わない。また、濾紙は上部が開口した先細の円錐状または角錐状を成したもの等、任意のものが使用可能である。
（実施例５）
また、本発明の実施例５においては、上記実施例４のように構成された紙製フィルター保持器に装着された濾紙内に更にコーヒー粉末がパックされ、濾紙の口部がヒートシールされる等して構成されている。この場合も、濾紙は、上縁辺部分が紙製フィルター保持器の保持器本体内面側に適宜に接着または固着されて、濾紙内にコーヒー粉末をパックして濾紙の口部をシールして閉じ、使用時に濾紙の口部を容易に開口できるように構成されている。また、濾紙には、上部が開口した先細の円錐状または角錐状をしたもの等、適宜なものが所要に応じて使用することができる。
【００４５】
図１１は、実施例５の紙製フィルター保持器を用いて組立てた状態のコーヒーメーカーの斜視図である。図示されるように、この実施例においては、紙製フィルター保持器１ｃを用いたコーヒーメーカーは、先の実施例１と同様に六角形状で上方に末広に開いた形状の保持器本体２ｃと、この保持器本体２ｃの下部周辺に形成されたフランジ部３ｃとから構成され、展開した状態で、厚紙から切出して作られるもので、紙製フィルター保持器１ｃの保持器本体２ｃの上部開口に、コーヒー粉末がパックされた濾紙１０ｃが上部口部にて接着して取付けられている。
【００４６】
従って、実施例５の紙製フィルター保持器１ｃを用いたコーヒーメーカーは、厚紙から切出して作られており、左右対称形をなし、組立てられたときに椀形または袋状の濾紙が筒状の保持器本体２ｃ内に装着されるように成っていて、偏平に折り畳み自在で、使用が簡単であり、かつ安定性が良く、しかも使い捨てできる安価なドリップコーヒー用の紙製フィルター保持器１ｃを用いたコーヒーメーカーを構成することができるものである。
【００４７】
さらに、図１２には、実施例５の紙製フィルター保持器を用いたコーヒーメーカーを組み立てる前の、偏平に折り畳んだ状態が示されている。図示されるように、紙製フィルター保持器１ｃは保持器本体２ｃとフランジ部３ｃと濾紙１０ｃとから成り、図面では下方のみに濾紙１０ｃが見えるが、保持器本体２ｃの上部開口に、コーヒー粉末がパックされた濾紙１０ｃが接着して取付けられている。
【００４８】
尚、本実施例のコーヒーメーカーにおける保持器形状は、実施例１に限らず実施例２、３のいずれの形状も使用可能である。
【００４９】
以上に説明上したように、本発明の紙製フィルター保持器及びコーヒーメーカーによれば、断面が多角形状で、上方に末広に開いた形状または筒形を成した保持器本体と、この保持器本体の下部周辺に形成されたフランジ部とから成り、展開した状態の時に保持器本体の一辺にフランジ部が連続するように一枚の厚紙から切出して簡単に作ることができ、かつ袋状の濾紙が保持器本体内に装着可能で、偏平に折り畳み自在で、使用が簡単であり、安定性が良く、しかも使い捨てできる安価なドリップコーヒー用の紙製フィルター保持器を構成することができる。
【００５０】
【発明の効果】
本発明によれば、請求項１記載の紙製フィルター保持器を有する紙製保持器は、保持器本体と、該保持器本体の下部周辺に形成されたフランジ部と、フランジ部の外周の一部と、少なくとも１つの面板の下方部分とを接続する接続部とを有するので、フランジ部がカップの縁部に載り、保持器本体下部がカップの内側に入るので、安定性がすぐれている。
【００５１】
また、本発明の紙製フィルター保持器は、前記保持器本体が多角形状であるので、厚紙から簡単に作ることができると共に、変形しにくい保持器が得られる。
【００５２】
本発明の請求項２記載の紙製フィルター保持器は、保持器本体とフランジ部の接合が簡単な構造で確実にできる。
【００５３】
本発明の請求項３記載の紙製フィルター保持器は、紙製フィルター保持器が１枚の紙から成るので、展開時に前記保持器本体の一辺に前記フランジ部が連続するよう厚紙から切出されるので、偏平に折り畳み自在で、使用が簡単であり、安定性が良く、しかも使い捨てできる安価なドリップコーヒー用の紙製フィルター保持器を提供することができる。また、前記保持器本体が上方程断面が大きい形状を成しているので、濾紙やコーヒー粉を簡単に入れることができると共に、コーヒーパックを簡単に装着することができる。また、六角形状であるので、形状が安定している。
【００５４】
本発明の請求項４記載の紙製フィルター保持器を用いたコーヒーメーカーは、袋状の濾紙が前記保持器本体内に装着されるように成っているので、コーヒー粉末やコーヒーパックあるいは日本茶や紅茶、ウーロン茶等、任意のものに対して簡便に使用することができる。
【００５５】
本発明の請求項５記載の紙製フィルター保持器を用いたコーヒーメーカーは、前記袋状の濾紙内にコーヒー粉末がパックされ、偏平に折り畳んで、前記袋状の濾紙の口部がシールされて閉じられ、容易に開口出来る構造とされているので、使用時に何等手間が懸からず簡単に使用できる。
【図面の簡単な説明】
【図１】  本発明の紙製フィルター保持器を示す概略斜視図である。
【図２】  図１の本発明の紙製フィルター保持器の展開図である。
【図３】  図２の本発明の紙製フィルター保持器において面板の１つを他の面板の上に重なるように折り曲げた状態を示す図である。
【図４】  図３の本発明の紙製フィルター保持器の両側の面板を内方に折り曲げて両端の接着部を接着した状態を示す図である。
【図５】  図４の本発明の紙製フィルター保持器を横方向から見た側面図である。
【図６】  図４の状態から接続部を外側から上方に向かって折り曲げられた状態の本発明の紙製フィルター保持器を示す図である。
【図７】  本発明の紙製フィルター保持器の第２の実施例を示す斜視図である。
【図８】  図７に示す本発明の第２の実施例における紙製フィルター保持器の展開図である。
【図９】  本発明の紙製フィルター保持器の第３の実施例を示す斜視図である。
【図１０】  図９に示す本発明の第３の実施例における紙製フィルター保持器の展開図である。
【図１１】  本発明の紙製フィルター保持器を用いたコーヒーメーカーの第５の実施例を示す斜視図である。
【図１２】  本発明の第５の実施例における紙製フィルター保持器を用いたコーヒーメーカーを偏平に折り畳んだ状態を示す側面図である。
【符号の説明】
１        紙製フィルター保持器
２        保持器本体
３        フランジ部
４−１    面板
４−２    面板
４−３    面板
４−４    面板
４−５    面板
４−６    面板
５        接続部
６        接続部
７        接着部（フラップ部）
８        接着部（フラップ部）
１１      折れ線
１２      折れ線
１３      折れ線
１４      折れ線
１５      折れ線
１６      折れ線
１７      折れ線
１８      折れ線
１９      折れ線
２０      折れ線
２２      開口部
２３      突出部
２４      突出部
２５      折れ線
２６      折れ線
２７      切込み
２８      切込み
２９      切込み
３０      切込み
３１      切欠き部
３２      切欠き部
３３      タグ
３４      タグ
４１      折れ線
４２      折れ線
４３      折れ線
４４      折れ線
４５      折れ線
４６      折れ線
４７      折れ線
４８      折れ線
４９      折れ線
５０      折れ線
５１      切込み
５２      切込み
５３      突出部
５４      突出部
５５      切欠き
５６      切欠き
【図１】
0004096456.tif 000002
【図２】
0004096456.tif 000003
【図３】
0004096456.tif 000004
【図４】
0004096456.tif 000005
【図５】
0004096456.tif 000006
【図６】
0004096456.tif 000007
【図７】
0004096456.tif 000008
【図８】
0004096456.tif 000009
【図９】
0004096456.tif 000010
【図１０】
0004096456.tif 000011
【図１１】
0004096456.tif 000012
【図１２】
0004096456.tif 000013